(57)【要約】      （修正有）【課題】身体の筋肉や鬱血部分に局所的に高温水を噴射し、その外周部に冷水を同時に放出することで、体感温度差刺激に依り血液循環を促す。【解決手段】二重構造シャワーヘッド９の中央部に適切なサイズの噴射ノズル１０と、其の外周に適切なサイズと適切な数の穴１１を配置しで、中央部噴射ノズル１０からは高温水を噴射し、外周穴１１からは冷水を同時に放出することが出来る構造とした。二重構造シャワーヘッド９に内部パイプ８１を持つ二重構造のシャワーホース８を接続し、夫々個別に温度と圧力を調整した湯水を供給する為の給水口補助装置５を付属させた。３，４のバルブで調整された高温水はパイプ３４から給水口補助装置５の内部パイプ５１を通り、シャワーホース８の内部パイプ８１の内部に流れ、二重構造シャワーヘッド９の内部パイプ９３に流れ、中央部噴射ノズル１０から噴射される。【選択図】図１
0003125391.tif 000002
【実用新案登録請求の範囲】
【請求項１】
シャワーヘッドにおいて、湯水を夫々個別の温度と圧力で同時に噴射・放出させることが出来る二重構造シャワーヘッド。
【請求項２】
請求項１の二重構造シャワーヘッドに湯水を夫々個別の温度と圧力で供給する為に湯水混合水栓装置に付加して設備する装置で、三方向の流入・流出口を自由に選択できることを特徴とする給水口補助装置。
【考案の詳細な説明】
【技術分野】
【０００１】  本考案は、二重構造シャワーヘッドとそのシャワーヘッドに湯水を供給する為の湯水混合水栓装置に付加して設備する送水口補助装置に関するものである。
【背景技術】
【０００２】  近来、工業化社会、情報化社会の進展にともない、仕事上の身体的ストレスが大きくなりつつある。それにつれて健康増進器具・マッサージ機器の需要増加や健康産業が盛んになってきている。入浴時にも健康改善を素早く図ることが求められているので、入浴時に使用されているシャワーヘッドを改善し、効率良くストレスを解消することが求められている。【０００３】  従来のシャワーヘッドは一種類の混合温水を噴射する仕組みにしかなっていないので、噴射される温水の方向や圧力に変化を持たせることや温水を回転させることなどの工夫がなされているが、マッサージ効果を出すためには不充分であった。
【考案の開示】
【考案が解決しようとする課題】
【０００４】  シャワー時に、身体の鬱血部分の血液循環効果をすばやく出す為一つの方法として噴射温度を高くすることが必要であるが、従来のシャワーヘッドでは同時に一種類の混合温水しか噴射出来ず、温度が高すぎると我慢出来なくなる。【０００５】  本考案のシャワーヘッドは中央部のノズルからは高温水を噴射することができ、同時に外周穴から冷水を放出できる二重構造に成っているので、中央部のノズルから噴射した高温水を単独では熱すぎる感じる時でも、外周から放出される冷水によりその熱さを即座に緩和するのに役立つ構造とした。
【課題を解決するための手段】
【０００６】  本考案の二重構造シャワーヘッドは中央部のノズルからは高温水を噴射することができ、同時に外周穴から冷水を放出できる二重構造に成っているので、従来の湯水混合水栓装置を利用し、高温水と冷水を夫々個別に水量を調整し、高温水と冷水を供給出きる構造とした。【０００７】  二重構造シャワーヘッドに必要な調整された高温水と冷水を同時に夫々個別に供給することが出来る様に、従来の湯水混合水栓装置に付加して、新たに本考案の送水口補助装置を設けた。【０００８】  二重構造シャワーヘッドと送水口補助装置とを繋ぐ為に、従来の通常のシャワーホースの内部に細いホースを追加挿入し、シャワーホースも二重構造とした。
【考案の効果】
【０００９】  本考案の二重構造シャワーヘッドを利用すれば、高温水と冷水の温度差刺激により、身体の血液循環効果を素早く出すことができる。【００１０】  温度と同時に圧力も夫々個別に調整出来るので、中央部の圧力と外周部の圧力を調整すれば、より快適なシャワー効果を得ることが出来る。【００１１】  外周部の冷水放出を停止し、中央部のノズルのみを使用して適切な温度と圧力で噴射すれば、歯、爪などの局部的洗浄にも簡単に有効に利用出来る。逆に中央部の噴射を停止すれば通常のシャワーヘッドとしても利用できる。【００１２】  二重構造シャワーヘッドと送水口補助装置間を繋ぐシャワーホースはその内部に細いホースを追加挿入した簡単な構造であるので、既設の通常のシャワーホースが利用でき、破損時の取替えも容易であり、経済的である。【００１３】  既に複数の湯水混合水栓装置が設備されている温泉や共同浴場などでは、２組の湯水混合水栓装置に通常のシャワーホースを接続し、且つ本考案の送水口補助装置を利用すれば、簡単に二重構造シャワーヘッドを使用出来るので非常に便利である。
【考案を実施するための最良の形態】  この考案を図１の考案説明全体図面で説明する。【００１４】  高温水はパイプ１から供給され、冷水はパイプ２から供給される。高温水調整用バルブ３と冷水調整用バルブ４にて水量を調整し、必要とする温度の高温水をパイプ３４から送水口補助装置５に送る事ができる。
一方パイプ１から供給された高温水とパイプ２から供給された冷水をそれぞれバルブ６とバルブ７により水量を調整し、適切な温度の冷水としてパイプ６７から送水口補助装置５に送る事ができる。送水口補助装置５の内部にある細いパイプ５１を流れる高温水は、５の内側を流れる冷水とは混ざることなく、ホース８の内部ホース８１に流れ、シャワーヘッド９の内部ホース９３に流れる。【００１５】  高温水は二重構造シャワーヘッド９の中央部噴射ノズル１０から噴射される。適切な温度の冷水は外周穴１１から放出される。【００１６】  図２は本考案の二重構造シャワーヘッド９の断面図を示したもので、中央部に高温水を噴射する為の突起したノズル１０を有し、其の外周に冷水を放出する穴１１を持った構造となっている。８１は９３に繋がり、ホース８の内側８２を流れる冷水はシャワーヘッド９の内側９４に流れる構造になっている。８３は８１と９３を繋ぐ為のパイプ接続金具である。【００１７】  図３は本考案の送水口補助装置５の断面図で、高温水と冷水が混ざることなく送水口補助装置５の内部を通過できる状態を示したものである。即ち高温水は５の内部にある細いパイプ５１の内部に流れ、冷水は５の内側５２に流れ、夫々高温水と冷水を別々にシャワーヘッドに送ることが出来る構造と成っている。３４のパイプから５に高温水が、６７パイプから５に冷水が流れ込む構造になっている。５１は８１に繋がり、５２を流れる冷水は８２に流れ、高温水と冷水がシャワーホース８の内側８２と内部パイプ８１に夫々別々に流れ出て行く構造になっている。【００１８】  送水口補助装置５の三方の送水口からその交差点中心までの距離は夫々同じとなっており、内部パイプ接続金物５５と内部パイプ５１は一体となっており、他の二方の何れかに容易に設置変えをすることが出来る。【００１９】  送水口補助装置５の二方向から高温水と冷水とを供給すれば、残りの一方向から混ざることなく二種類の高温水および冷水が取り出せるので、二組の通常の湯水混合水栓装置があれば、従来の通常のシャワーホースに内部ホースを追加挿入し、簡単に二重構造シャワーヘッドに高温水と冷水を送ることが出来る。
【実施例】
【００２０】  考案説明全体図１に示す如く既設の湯水混合水栓装置２組を利用し、送水口補助装置５を接続し、通常のシャワーホースに内部パイプを追加挿入すれば、二重構造シャワーヘッドを具体的に実施使用出来る。【００２１】  図４は二重構造シャワーヘッド９の中央部噴射ノズル１０から高温水が噴出され、冷水が外周穴１１から熱さを即座に緩和するのに役立つ様に放出された様子を示したものである。【００２２】  図５は二重構造シャワーへッド９から高温水および冷水が役目を果す為に放出される時の身体とシャワーヘッドの距離１０１と冷水が放出され身体上に描く円の直径１０２、１０３の関係を示したものである。夫々の穴の形状と水圧により、温度差刺激によるマサージ効果と快適さを設計できる。実施例によれば、１０１＝２０ｃｍ、１０２＝６ｃｍ、１０３＝４ｃｍが効果的である。【００２３】  図６は二重構造シャワーヘッド９の中央部にある高温水噴射ノズル１０と温度緩和の為に外周から放出する冷水の穴１１の配置例を表したものである。【００２４】  二重構造シャワーヘッドからの高温水と冷水の噴射および放出温度と水圧は図１の高温水供給パイプ１と冷水供給パイプ２の温度と水圧に影響される。高温水供給パイプ１からの高温水の温度は４５℃〜５５℃、冷水供給パイプ２からの冷水の温度は１５℃〜２５℃が必要であり、水圧は夫々０．１５Ｍｐａ〜０．３Ｍｐａが好ましい圧力である。【００２５】  図７は大浴場や共同浴場などの様に複数の湯水混合水栓装置が設置されている所で、本考案の送水口補助装置５を使用した場合の一例であり、簡単に二重構造シャワーヘッド９に接続できる。
【産業上の利用可能性】
【００２６】  本考案の二重構造シャワーヘッドの構造とノズルの形状を変え、又、本考案の給水口補助装置の材質・形状を変え、又噴射の圧力や温度を変えたり、水から他の洗浄液体に変えたりすることにより、局部的な噴射圧力効果と周囲からの洗い流し効果を利用し、有効な洗浄装置に利用できる可能性がある。
【図面の簡単な説明】
【００２７】
【図１】は通常の湯水混合水栓装置を２台利用した場合の考案機能説明全体図である。
【図２】は二重構造シャワーヘッドの断面図を示したものである。
【図３】は送水口補助装置の断面図を示したものである。
【図４】はシャワーヘッドから高温水を中央から噴射し、冷水を外周穴から放出する様子を示したものである。
【図５】はシャワーヘッドから冷水が役目を果す為に放出される時の身体とシャワーヘッドとの距離と適切な冷水放出点の直径との関係の一例を示したものである。
【図６】はシャワーヘッド中央部にある高温水噴射ノズルと外周から放出する冷水の穴の配置例を示したものである
【図７】は既設の２組の湯水混合水栓装置に送水口補助装置を接続して、従来のシャワーホースを利用して、二重構造シャワーヘッドに接続できる様子を示したものである。
【符号の説明】
【００２８】１．高温水供給パイプ
２．冷水供給パイプ
３．高温水水量調整用バルブ
３４．高温水供給パイプ  ３５．高温水供給パイプ用パッキン
４．冷水水量調整用バルブ
５．送水口補助装置  ５１．水口補助装置内部パイプ  ５２．送水口補助装置の内側
５５．水口補助装置内部パイプ接続金物  ５６．給水口補助装置用パッキン類
５７．送水口補助装置パイプ接続コネクター類
６．高温水水量調整用バルブ  ６７．冷水供給パイプ  ６８．冷水供給パイプ用パッキン
７．冷水水量調整用バルブ
８．シャワーヘッドホース  ８１．シャワーヘッドホース内部ホース
８２．シャワーヘッドホースの内側  ８３．シャワーヘッドホース内部ホース接続金具
９．二重構造シャワーヘッド  ９３．シャワーヘッド内部パイプ  ９４．シャワーヘッドの内側
１０．シャワーヘッド中央部噴射ノズル
１１．シャワーヘッド外周穴
１２．シャワーヘッド給水／バスタブ給水切り替えコック
１３．バスタブ用蛇口
１０１．１０２．１０３  噴射距離とスポット点距離
【図１】
0003125391.tif 000003
【図２】
0003125391.tif 000004
【図３】
0003125391.tif 000005
【図４】
0003125391.tif 000006
【図５】
0003125391.tif 000007
【図６】
0003125391.tif 000008
【図７】
0003125391.tif 000009
【手続補正書】
【提出日】平成18年5月30日(2006.5.30)
【手続補正１】
【補正対象書類名】実用新案登録請求の範囲
【補正対象項目名】全文
【補正方法】変更
【補正の内容】
【実用新案登録請求の範囲】
【請求項１】
内部パイプ９３を内部に配設してなる二重構造シャワーヘッド９であって、
該二重構造シャワーヘッド９の先端部が、前記内部パイプ９３に接続した噴射ノズル１０と、該噴射ノズルの周囲に配置した複数の外周穴１１とを有するように構成されてなることを特徴とする二重構造シャワーヘッド。
【請求項２】
請求項１の二重構造シャワーヘッドに湯水を供給するための湯水混合水栓装置に付加して設備する送水口補助装置５であって、該送水口補助装置５が、三方向に開口部を有する配管と、該配管の内部に配設した内部パイプ５１とから構成され、該内部パイプ５１の一端が、前記配管の一方向において内部パイプ接続金物５５により固定され、他端が、前記二重構造シャワーヘッド９と接続する他の二方向のうち一方向の開口部において固定されてなることを特徴とする送水口補助装置。
【手続補正２】
【補正対象書類名】明細書
【補正対象項目名】００２８
【補正方法】変更
【補正の内容】
【００２８】  １．高温水供給パイプ
２．冷水供給パイプ
３．高温水水量調整用バルブ
３４．高温水供給パイプ
３５．高温水供給パイプ用パッキン
４．冷水水量調整用バルブ
５．送水口補助装置
５１．送水口補助内部パイプ
５２．送水口補助装置の内側
５５．送水口補助装置内部パイプ接続金物
５６．送水口補助装置用パッキン類
５７．送水口補助装置パイプ接続コネクター類
６．高温水水量調整用バルブ
６７．冷水供給パイプ
６８．冷水供給パイプ用パッキン
７．冷水水量調整用バルブ
８．シャワーヘッドホース
８１．シャワーヘッドホース内部ホース
８２．シャワーヘッドホースの内側
８３．シャワーヘッドホース内部ホース接続金具
９．二重構造シャワーヘッド
９３．シャワーヘッド内部パイプ
９４．シャワーヘッドの内側
１０．シャワーヘッド中央部噴射ノズル
１１．シャワーヘッド外周穴
１２．シャワーヘッド給水／バスタブ給水切り替えコック
１３．バスタブ用蛇口
１０１．１０２．１０３噴射距離とスポット点距離